(57)【要約】【課題】ユーザが全ての閲覧対象の画像を閲覧するように画面の切り替え操作を行うことについての積極性が高められるようにする。【解決手段】主画像切替操作を受け付ける操作受付部と、現主画像表示領域に表示される主画像と操作受付部が受け付けた主画像切替操作により指定された移動方向とに基づいて、複数の副画像のうちから、現主画像表示領域と次主画像表示領域との間の副画像表示領域に表示させるべき副画像を決定する副画像決定部と、操作受付部が受け付けた主画像切替操作に応じて、現主画像表示領域が指定された移動方向に沿って画面外に移動し、次主画像表示領域を指定された移動方向に沿って画面外から画面内に移動するように表示するとともに、副画像決定部により決定された副画像を副画像表示領域に表示する表示制御部とを備えて表示制御部を構成する。【選択図】図７
2015152965.tif 000002
【特許請求の範囲】
【請求項１】
表示部の画面内に配置される現主画像表示領域について移動方向を指定して画面外に移動させるとともに、前記現主画像表示領域に表示される主画像とは異なる主画像が表示される次主画像表示領域を前記移動方向に沿って画面外から画面内に移動させる主画像切替操作を受け付ける操作受付部と、
前記現主画像表示領域に表示される主画像と前記操作受付部が受け付けた主画像切替操作により指定された移動方向とに基づいて、複数の副画像のうちから、前記現主画像表示領域と前記次主画像表示領域との間の副画像表示領域に表示させるべき副画像を決定する副画像決定部と、
前記操作受付部が受け付けた主画像切替操作に応じて、前記現主画像表示領域が指定された移動方向に沿って画面外に移動し、前記次主画像表示領域を前記指定された移動方向に沿って画面外から画面内に移動するように表示するとともに、前記副画像決定部により決定された副画像を前記副画像表示領域に表示する表示制御部と、
を備える表示制御装置。
【請求項２】
ネットワーク経由で副画像を取得する副画像取得部をさらに備え、
前記副画像決定部は、
前記副画像取得部により副画像が取得された場合には、前記副画像取得部により取得された副画像を候補として、前記現主画像表示領域と前記次主画像表示領域との間に表示させるべき副画像を決定する
請求項１に記載の表示制御装置。
【請求項３】
前記表示制御部は、
主画像切替操作に応じてルールで定められた主画像が表示されたことに応じて、所定の特典を表す特典画像を表示させる
請求項１または２に記載の表示制御装置。
【請求項４】
前記表示制御部は、
前記現主画像表示領域を指定された移動方向に沿って画面外に移動させるとともに、前記次主画像表示領域を前記指定された移動方向に沿って画面外から画面内に移動させるときの前記副画像表示領域の移動方向における幅を変化させる
請求項１から３のいずれか一項に記載の表示制御装置。
【請求項５】
前記表示制御部は、
それぞれが前記画面と同じサイズの前記現主画像表示領域と前記次主画像表示領域とのうちの少なくともいずれか一方の主画像表示領域に対して、前記主画像切替操作により指定された移動方向において主画像表示領域からはみ出した部分を有する主画像を表示させる
請求項１から４のいずれか一項に記載の表示制御装置。
【請求項６】
表示部の画面内に配置される現主画像表示領域について移動方向を指定して画面外に移動させるとともに、前記現主画像表示領域に表示される主画像とは異なる主画像が表示される次主画像表示領域を前記移動方向に沿って画面外から画面内に移動させる主画像切替操作を受け付ける操作受付ステップと、
前記現主画像表示領域に表示される主画像と前記操作受付ステップが受け付けた主画像切替操作により指定された移動方向とに基づいて、複数の副画像のうちから、前記現主画像表示領域と前記次主画像表示領域との間の副画像表示領域に表示させるべき副画像を決定する副画像決定ステップと、
前記操作受付ステップが受け付けた主画像切替操作に応じて、前記現主画像表示領域が指定された移動方向に沿って画面外に移動し、前記次主画像表示領域を前記指定された移動方向に沿って画面外から画面内に移動するように表示するとともに、前記副画像決定ステップにより決定された副画像を前記副画像表示領域に表示する表示制御ステップと、
を備える表示制御方法。
【請求項７】
コンピュータに、
表示部の画面内に配置される現主画像表示領域について移動方向を指定して画面外に移動させるとともに、前記現主画像表示領域に表示される主画像とは異なる主画像が表示される次主画像表示領域を前記移動方向に沿って画面外から画面内に移動させる主画像切替操作を受け付ける操作受付ステップと、
前記現主画像表示領域に表示される主画像と前記操作受付ステップが受け付けた主画像切替操作により指定された移動方向とに基づいて、複数の副画像のうちから、前記現主画像表示領域と前記次主画像表示領域との間の副画像表示領域に表示させるべき副画像を決定する副画像決定ステップと、
前記操作受付ステップが受け付けた主画像切替操作に応じて、前記現主画像表示領域が指定された移動方向に沿って画面外に移動し、前記次主画像表示領域を前記指定された移動方向に沿って画面外から画面内に移動するように表示するとともに、前記副画像決定ステップにより決定された副画像を前記副画像表示領域に表示する表示制御ステップと、
を実行させるためのプログラム。
【発明の詳細な説明】
【技術分野】
【０００１】
本発明は、表示制御装置、表示制御方法及びプログラムに関する。
【背景技術】
【０００２】
スマートフォン、タブレット端末、一部のパーソナルコンピュータなどの機器においては、タッチパネルを備えることにより画面に指などを触れて操作することができるようになっている。
そして、上記のようにタッチパネルを備える情報処理装置として、複数のページによりコンテンツが提供される場合において、画面に表示されるページの切り替えをタッチパネルに対するフリック操作によって行えるようにされたものが知られている（例えば、特許文献１参照）。
【先行技術文献】
【特許文献】
【０００３】
【特許文献１】特開２０１３−１０７２４７号公報
【発明の概要】
【発明が解決しようとする課題】
【０００４】
上記のページのように複数の異なる内容の画像を切り替えて表示するアプリケーションの場合、アプリケーションの提供者としては、できればアプリケーションにより提供する複数の画像の全てをユーザに閲覧してもらいたいという要望がある。このためには、ユーザが全ての閲覧対象の画像を閲覧するように切り替え操作を積極的に行ってもらう必要がある。
【０００５】
本発明は、このような事情に鑑みてなされたもので、複数の異なる閲覧対象の画像を操作によって切り替え可能とされている場合において、ユーザが全ての閲覧対象の画像を閲覧するように画面の切り替え操作を行うことについての積極性が高められるようにすることを目的とする。
【課題を解決するための手段】
【０００６】
上述した課題を解決するために、本発明の一態様は、表示部の画面内に配置される現主画像表示領域について移動方向を指定して画面外に移動させるとともに、前記現主画像表示領域に表示される主画像とは異なる主画像が表示される次主画像表示領域を前記移動方向に沿って画面外から画面内に移動させる主画像切替操作を受け付ける操作受付部と、前記現主画像表示領域に表示される主画像と前記操作受付部が受け付けた主画像切替操作により指定された移動方向とに基づいて、複数の副画像のうちから、前記現主画像表示領域と前記次主画像表示領域との間の副画像表示領域に表示させるべき副画像を決定する副画像決定部と、前記操作受付部が受け付けた主画像切替操作に応じて、前記現主画像表示領域が指定された移動方向に沿って画面外に移動し、前記次主画像表示領域を前記指定された移動方向に沿って画面外から画面内に移動するように表示するとともに、前記副画像決定部により決定された副画像を前記副画像表示領域に表示する表示制御部とを備える表示制御装置である。
【０００７】
本発明の一態様は、上記の表示制御装置であって、ネットワーク経由で副画像を取得する副画像取得部をさらに備え、前記副画像決定部は、前記副画像取得部により副画像が取得された場合には、前記副画像取得部により取得された副画像を候補として、前記現主画像表示領域と前記次主画像表示領域との間に表示させるべき副画像を決定してもよい。
【０００８】
本発明の一態様は、上記の表示制御装置であって、前記表示制御部は、主画像切替操作に応じてルールで定められた主画像が表示されたことに応じて、所定の特典を表す特典画像を表示させてもよい。
【０００９】
本発明の一態様は、上記の表示制御装置であって、前記表示制御部は、前記現主画像表示領域を指定された移動方向に沿って画面外に移動させるとともに、前記次主画像表示領域を前記指定された移動方向に沿って画面外から画面内に移動させるときの前記副画像表示領域の移動方向における幅を変化させてもよい。
【００１０】
本発明の一態様は、上記の表示制御装置であって、前記表示制御部は、それぞれが前記画面と同じサイズの前記現主画像表示領域と前記次主画像表示領域とのうちの少なくともいずれか一方の主画像表示領域に対して、前記主画像切替操作により指定された移動方向において主画像表示領域からはみ出した部分を有する主画像を表示させてもよい。
【００１１】
本発明の一態様は、表示部の画面内に配置される現主画像表示領域について移動方向を指定して画面外に移動させるとともに、前記現主画像表示領域に表示される主画像とは異なる主画像が表示される次主画像表示領域を前記移動方向に沿って画面外から画面内に移動させる主画像切替操作を受け付ける操作受付ステップと、前記現主画像表示領域に表示される主画像と前記操作受付ステップが受け付けた主画像切替操作により指定された移動方向とに基づいて、複数の副画像のうちから、前記現主画像表示領域と前記次主画像表示領域との間の副画像表示領域に表示させるべき副画像を決定する副画像決定ステップと、前記操作受付ステップが受け付けた主画像切替操作に応じて、前記現主画像表示領域が指定された移動方向に沿って画面外に移動し、前記次主画像表示領域を前記指定された移動方向に沿って画面外から画面内に移動するように表示するとともに、前記副画像決定ステップにより決定された副画像を前記副画像表示領域に表示する表示制御ステップとを備える表示制御方法である。
【００１２】
本発明の一態様は、コンピュータに、表示部の画面内に配置される現主画像表示領域について移動方向を指定して画面外に移動させるとともに、前記現主画像表示領域に表示される主画像とは異なる主画像が表示される次主画像表示領域を前記移動方向に沿って画面外から画面内に移動させる主画像切替操作を受け付ける操作受付ステップと、前記現主画像表示領域に表示される主画像と前記操作受付ステップが受け付けた主画像切替操作により指定された移動方向とに基づいて、複数の副画像のうちから、前記現主画像表示領域と前記次主画像表示領域との間の副画像表示領域に表示させるべき副画像を決定する副画像決定ステップと、前記操作受付ステップが受け付けた主画像切替操作に応じて、前記現主画像表示領域が指定された移動方向に沿って画面外に移動し、前記次主画像表示領域を前記指定された移動方向に沿って画面外から画面内に移動するように表示するとともに、前記副画像決定ステップにより決定された副画像を前記副画像表示領域に表示する表示制御ステップとを実行させるためのものである。
【発明の効果】
【００１３】
以上説明したように、本発明によれば、複数の異なる閲覧対象の画像を操作によって切り替え可能とされている場合において、ユーザが全ての閲覧対象の画像を閲覧するように画面の切り替え操作を行うことについての積極性が高められるという効果が得られる。
【図面の簡単な説明】
【００１４】
【図１】第１実施形態におけるコンテンツ配信システムの構成例を示す図である。
【図２】第１実施形態における主画像切り替えの表示態様例を示す図である。
【図３】第１実施形態における主画像切り替えの表示態様例を示す図である。
【図４】第１実施形態における主画像切り替えの表示態様例を示す図である。
【図５】第１実施形態における副画像の一例を示す図である。
【図６】第１実施形態における副画像レイヤと主画像レイヤとの位置関係例を示す図である。
【図７】第１実施形態におけるユーザ端末装置の構成例を示す図である。
【図８】第１実施形態における副画像決定テーブルの一例を示す図である。
【図９】第１実施形態におけるユーザ端末装置がフリック操作による主画像切替操作に応じて主画面の切り替えを行うための処理手順例を示すフローチャートである。
【図１０】第１実施形態におけるユーザ端末装置がスライド操作による主画像切替操作に応じて主画面の切り替えを行うための処理手順例を示すフローチャートである。
【図１１】第２実施形態において、コンテンツサーバからの副画像のダウンロードと、ダウンロードした副画像の表示に関してユーザ端末装置が実行する処理手順例を示すフローチャートである。
【図１２】第３実施形態における副画像の内容例と、特典画像としてのプレゼント応募画像の態様例とを示す図である。
【図１３】第３実施形態におけるユーザ端末装置がプレゼント応募画像の表示のために実行する処理手順例を示すフローチャートである。
【図１４】第４実施形態において、フリック操作による主画像切替操作が行われた場合の画面における表示態様例を示す図である。
【図１５】第５実施形態における主画像と副画像の表示態様例を示す図である。
【図１６】第５実施形態において、主画像の切り替えが行われる際の表示制御の概念を説明するための図である。
【発明を実施するための形態】
【００１５】
＜第１実施形態＞
［コンテンツ配信システムの構成例］
図１は、本実施形態のコンテンツ配信システムの構成例を示している。同図に示すコンテンツ配信システムは、複数のユーザ端末装置１００とコンテンツサーバ２００とをネットワーク３００経由で通信可能に接続して構成される。
本実施形態のユーザ端末装置１００（表示制御装置の一例）は、例えばスマートフォン、タブレット端末、パーソナルコンピュータなどであり、コンテンツサーバ２００が提供するコンテンツを閲覧するためのアプリケーション（コンテンツ閲覧アプリケーション）がインストールされている。
また、本実施形態のユーザ端末装置１００は、表示部の画面と一体化されたタッチパネルを備える。タッチパネルが備えられることで、ユーザ端末装置１００は、指またはスタイラスペンなどの操作体をタッチパネルに触れさせることによる操作が可能とされている。
【００１６】
コンテンツサーバ２００はネットワーク３００経由で、コンテンツ閲覧アプリケーションが動作するユーザ端末装置１００に対してコンテンツを配信する。
コンテンツサーバ２００が配信するコンテンツについては特に限定されるものではないが、以降の説明にあたっては、コンテンツサーバ２００は、電子チラシとしてのコンテンツと、電子チラシに関連した情報を含むコンテンツとを配信する場合を例に挙げる。
【００１７】
ユーザ端末装置１００上で動作するコンテンツ閲覧アプリケーションは、コンテンツサーバ２００から送信されたコンテンツを受信し、受信したコンテンツを表示部に表示させる。本実施形態のコンテンツサーバ２００が配信するコンテンツは、電子チラシやクーポンに関する情報などである。これらのコンテンツがユーザ端末装置１００の画面に表示されることで、ユーザは、電子チラシを閲覧したり、クーポンを利用したりすることができる。
【００１８】
［主画像切り替えの態様例］
以下、図２から図６を参照して、本実施形態のユーザ端末装置１００における主画像切り替えの態様例について説明する。
図２（ａ）には、ユーザ端末装置１００が備える表示部の画面１０５Ａが示されている。同図の画面１０５Ａにおいては、現主画像表示領域ＡＲｐとカテゴリタブ領域ＡＲｃとが配置される。
現主画像表示領域ＡＲｐは、主画像が表示される主画像表示領域として、主画像切替操作が行われたときに画面１０５Ａに収まる状態で配置されている主画像表示領域である。
本実施形態における主画像は、予め定められた複数のカテゴリのうちのいずれかに属している。現主画像表示領域ＡＲｐに表示されている主画像が属するカテゴリは、カテゴリタブ領域ＡＲｃにおいて表示されるタブのうちで強調表示されているタブにより示される。
同図の場合には、カテゴリタブ領域ＡＲｃにおけるカテゴリ２のタブが強調表示されていることから、現主画像表示領域ＡＲｐに表示されている主画像Ｐｍ２はカテゴリ２としてのカテゴリに属するものであることが示される。
【００１９】
カテゴリタブ領域ＡＲｃには、主画像について予め定められたカテゴリごとのタブが横方向に沿って並べられた状態で配置される。同図のカテゴリタブ領域ＡＲｃにおいては、左から右にかけて、カテゴリ１、カテゴリ２、カテゴリ３ごとに対応する３つのタブが配置された状態が示されている。
なお、カテゴリタブ領域ＡＲｃにおいて配置されるタブの数については特に限定されない。また、主画像について予め定められたカテゴリの数が、カテゴリタブ領域ＡＲｃにおいて表示可能なタブの数よりも大きい場合には、例えば左端または右端のタブをタッチ操作するのに応じて、タッチされたタブがカテゴリタブ領域ＡＲｃが中央側に配置されるようにしてこれまで表示されていなかったタブをカテゴリタブ領域ＡＲｃ内に表示させるようにすればよい。
【００２０】
以降においては、説明を簡単にするために、主画像について予め定められたカテゴリとしては、カテゴリ１、カテゴリ２、カテゴリ３の３つである場合を例に挙げる。
一例として、カテゴリ１、カテゴリ２、カテゴリ３のそれぞれに対応する具体的内容としては、「お知らせ」、「電子チラシ」、「クーポン」、「設定」などのうちのいずれかとなる。
「お知らせ」は、コンテンツ閲覧アプリケーションのバージョンアップ、コンテンツ閲覧アプリケーションにより新規に提供されるサービスの紹介などをユーザに知らせる内容の画像が対応するカテゴリである。
「電子チラシ」は、コンテンツサーバ２００から受信した電子チラシとしてのコンテンツを閲覧するための閲覧画面の画像が対応するカテゴリである。
「クーポン」は、電子チラシに関連するコンテンツとしてコンテンツサーバ２００から受信したクーポンを提示する画像が対応するカテゴリである。
「設定」は、コンテンツ閲覧アプリケーションにおける各種設定を行うための設定画面としての画像が対応するカテゴリである。
【００２１】
本実施形態において、カテゴリに応じた主画像の切り替えは、画面１０５Ａ上のタッチパネルに対する横方向のフリック操作によって行うことができる。フリック操作とはタッチパネルに触れた指を素早く一方向に払うように動かす操作である。
【００２２】
ここで、図２（ａ）の状態のもとで、カテゴリ２の主画像からカテゴリ１の主画像の表示に切り替えたい場合、ユーザは、同図の矢印Ａとして示すように、画面１０５Ａに対して右方向にフリック操作を行う。
【００２３】
カテゴリタブ領域ＡＲｃにおける各タブの位置関係は、カテゴリごとの主画像の仮想的な配列に対応している。同図によれば、カテゴリタブ領域ＡＲｃにおいては、左から右にかけてカテゴリ１、カテゴリ２、カテゴリ３の順でタブが配列されている。従って、カテゴリごとの主画像の仮想的な配列も、左から右にかけてカテゴリ１、カテゴリ２、カテゴリ３の順となる。
例えば、カテゴリ２の主画像からカテゴリ１の主画像Ｐｍ１の表示に切り替えようとする場合、画面１０５Ａを基準として、カテゴリ２の主画像を右に移動させて画面１０５Ａから外し、代わりに、カテゴリ１の主画像を右に移動させて画面１０５Ａに収めればよいことになる。つまり、この場合のフリック操作は右方向になる。
このように、ユーザは、カテゴリタブ領域ＡＲｃにおけるタブ間の位置関係を確認することで、所望のカテゴリの主画像を表示させるには、どちらの方向にフリック操作を行えばよいのかを知ることができる。
【００２４】
そして、右方向へのフリック操作が行われるのに応じて、これまで画面１０５Ａに収まるように配置されていた現主画像表示領域ＡＲｐは、図２（ｂ）に示すように、画面１０５Ａの右方向に移動する。また、同じ図２（ｂ）に示すように、現主画像表示領域ＡＲｐの移動に伴って、画面１０５Ａの左側から、カテゴリ１の主画像が表示された次主画像表示領域ＡＲｎが現れ、右側に移動していくように表示される。
次主画像表示領域ＡＲｎは、主画像切替操作に応じて、現主画像表示領域ＡＲｐに表示された主画像に代わって次に表示されるべき主画像が表示される主画像表示領域である。
【００２５】
上記のように、画面１０５Ａにて現主画像表示領域ＡＲｐと次主画像表示領域ＡＲｎとが移動しているとき、現主画像表示領域ＡＲｐと次主画像表示領域ＡＲｎの間には一定の幅（ピクセル数）による隙間が設けられる。このように設けられる隙間としての領域が、副画像が表示される副画像表示領域ＡＲｓである。図２（ｂ）の場合には副画像として第１副画像Ｐｓ１が表示される。
【００２６】
副画像は、上記のように、現主画像表示領域ＡＲｐと次主画像表示領域ＡＲｎとが移動している状態において副画像表示領域ＡＲｓに表示される画像である。副画像の内容としては、特に限定されるものではなく、例えばコンテンツ閲覧アプリケーションに対応するキャラクターの画像であるとか所定のデザインの背景画などとすることができる。
【００２７】
そして、右方向への現主画像表示領域ＡＲｐと次主画像表示領域ＡＲｎの移動がさらに進み、現主画像表示領域ＡＲｐが画面１０５Ａから外れ、図２（ｃ）に示すように、次主画像表示領域ＡＲｎがちょうど画面１０５Ａに収まるような状態となる。このような状態となるのに応じてこれまでの画像の移動が停止し、先のカテゴリ２の主画像Ｐｍ２からカテゴリ１の主画像Ｐｍ１の表示に切り替わった状態となる。
また、上記のようにカテゴリ１の主画像Ｐｍ１の表示に切り替わるのに応じて、カテゴリタブ領域ＡＲｃにおいては、カテゴリ１のタブが強調表示された状態に変化する。このように変化したカテゴリタブ領域ＡＲｃを見ることにより、ユーザは、新たに表示された主画像がカテゴリ１に対応するものであると確認できる。
【００２８】
なお、図２（ｃ）の状態のもとで、左方向にフリック操作を行うことによっては、図２（ｂ）の状態から図２（ａ）の状態に遷移するようにして、画面１０５Ａにおいて主画像Ｐｍ１から主画像Ｐｍ２が表示される状態に切り替わる。
【００２９】
また、図２（ａ）と同じ図３（ａ）の状態のもとで、カテゴリ２の主画像からカテゴリ３の主画像の表示に切り替えたい場合、ユーザは、同図の矢印Ｂとして示すように、画面１０５Ａに対して左方向にフリック操作を行う。
左方向へのフリック操作が行われるのに応じて、これまで画面１０５Ａにちょうど収まるように配置されていた現主画像表示領域ＡＲｐは、図３（ｂ）に示すように、画面１０５Ａの左方向に移動する。また、同じ図３（ｂ）に示すように、現主画像表示領域ＡＲｐの移動に伴って、画面１０５Ａの右側から、次に表示されるべきカテゴリ３の主画像が表示された次主画像表示領域ＡＲｎが現れ、左側に移動していくように表示される。
【００３０】
そして、画面１０５Ａにて現主画像表示領域ＡＲｐと次主画像表示領域ＡＲｎとが移動している状態において、現主画像表示領域ＡＲｐと次主画像表示領域ＡＲｎの間の副画像表示領域ＡＲｓには、図３（ｂ）に示すように、第２副画像Ｐｓ２が表示される。
ここで、図３（ｂ）における副画像表示領域ＡＲｓに表示される第２副画像Ｐｓ２は、先の図２（ｂ）における副画像表示領域ＡＲｓに表示される第１副画像Ｐｓ１と画像の内容が異なっている。
【００３１】
そして、左方向への現主画像表示領域ＡＲｐと次主画像表示領域ＡＲｎの移動がさらに進み、現主画像表示領域ＡＲｐが画面１０５Ａから外れ、図３（ｃ）に示すように、次主画像表示領域ＡＲｎが画面１０５Ａに収まるように状態となる。このような状態となるのに応じてこれまでの画像の移動が停止し、先のカテゴリ２の主画像Ｐｍ２からカテゴリ３の主画像Ｐｍ３の表示に切り替わった状態となる。
また、上記のようにカテゴリ３の主画像Ｐｍ３の表示に切り替わるのに応じて、カテゴリタブ領域ＡＲｃにおいては、カテゴリ３のタブが強調表示された状態に変化する。
このように変化したカテゴリタブ領域ＡＲｃを見ることにより、ユーザは、新たに表示された主画像がカテゴリ３に対応するものであると確認できる。
【００３２】
なお、図３（ｃ）の状態のもとで、右方向にフリック操作を行うことによっては、図３（ｂ）の状態から図３（ａ）の状態に遷移するようにして、画面１０５Ａにおいて主画像Ｐｍ３から主画像Ｐｍ２が表示される状態に切り替わる。
【００３３】
ここで、前述のように、カテゴリ３の主画像は、仮想的な配列のもとでは、カテゴリ１、２の主画像に続き最も右に配置される。本実施形態では、現主画像表示領域ＡＲｐにカテゴリ３の主画像が表示されている状態の下で、さらに左方向へのフリック操作が行われた場合には、主画像の仮想的配列を循環して、カテゴリ１の主画像の表示に切り替わるようにされている。
上記のような表示切り替えの例として、図４（ａ）には、画面１０５Ａに収まっている状態の現主画像表示領域ＡＲｐにカテゴリ３の主画像が表示されている状態のもとで、矢印Ｂとして示すように左方向にフリック操作を行った場合が示されている。
【００３４】
上記のように左方向へのフリック操作を行った場合、現主画像表示領域ＡＲｐは、図４（ｂ）に示すように、画面１０５Ａの左方向にはみ出していくように移動する。また、同じ図４（ｂ）に示すように、現主画像表示領域ＡＲｐの移動に伴って、画面１０５Ａの右側から、次に表示されるべきカテゴリ１の主画像が表示された次主画像表示領域ＡＲｎが現れ、左側に移動していくように表示される。
【００３５】
また、画面１０５Ａにて現主画像表示領域ＡＲｐと次主画像表示領域ＡＲｎとが移動している状態において、現主画像表示領域ＡＲｐと次主画像表示領域ＡＲｎの間の副画像表示領域ＡＲｓには、図４（ｂ）に示すように、第３副画像Ｐｓ３が表示される。
【００３６】
ここで、図４（ｂ）における副画像表示領域ＡＲｓに表示される第３副画像Ｐｓ３は、先の図２（ｂ）、図３（ｂ）における副画像表示領域ＡＲｓのそれぞれに表示される第１副画像Ｐｓ１、第２副画像Ｐｓ２のいずれとも画像の内容が異なっている。
つまり、本実施形態においては、カテゴリ１とカテゴリ２の主画像表示領域の間と、カテゴリ２とカテゴリ３の主画像表示領域の間と、カテゴリ３とカテゴリ１の主画像表示領域の間とのそれぞれにおいて副画像表示領域ＡＲｓが設けられる。そのうえで、これら３つの副画像表示領域ＡＲｓに表示される副画像がそれぞれ異なるようにされている。
【００３７】
そして、左方向への現主画像表示領域ＡＲｐと次主画像表示領域ＡＲｎの移動がさらに進み、現主画像表示領域ＡＲｐが画面１０５Ａから外れ、図４（ｃ）に示すように、次主画像表示領域ＡＲｎがちょうど画面１０５Ａに収まるように状態となる。このような状態となるのに応じて、画面１０５Ａにおいては、これまでの画像の移動が停止し、先のカテゴリ３の主画像Ｐｍ３からカテゴリ１の主画像Ｐｍ１の表示に切り替わった状態となる。
【００３８】
また、上記のようにカテゴリ１の主画像Ｐｍ１の表示に切り替わるのに応じて、カテゴリタブ領域ＡＲｃにおいては、カテゴリ１のタブが強調表示された状態に変化する。
このように変化したカテゴリタブ領域ＡＲｃを見ることにより、ユーザは、新たに表示された主画像がカテゴリ１に対応するものであることを確認できる。
【００３９】
なお、図４（ｃ）の状態のもとで、右方向にフリック操作を行うことによっては、図４（ｂ）の状態から図４（ａ）の状態に遷移するようにして、画面１０５Ａにおいて主画像Ｐｍ１から主画像Ｐｍ３が表示される状態に切り替わる。
【００４０】
図５は、本実施形態における主画像の切り替えに際して副画像表示領域ＡＲｓに表示される第１副画像Ｐｓ１、第２副画像Ｐｓ２、第３副画像Ｐｓ３の画像内容例を示している。
前述のように、第１副画像Ｐｓ１は、カテゴリ１とカテゴリ２の主画像表示領域の間に設けられた副画像表示領域ＡＲｓに表示される。第２副画像Ｐｓ２は、カテゴリ２とカテゴリ３の主画像表示領域の間に設けられた副画像表示領域ＡＲｓに表示される。第３副画像Ｐｓ３は、カテゴリ１とカテゴリ３の主画像表示領域の間に設けられた副画像表示領域ＡＲｓに表示される。
【００４１】
本実施形態における第１副画像Ｐｓ１、第２副画像Ｐｓ２、第３副画像Ｐｓ３は、それぞれ、画面１０５Ａと同じサイズの画像である。そのうえで、同図においては、第１副画像Ｐｓ１、第２副画像Ｐｓ２、第３副画像Ｐｓ３における画像の内容が関連している態様を示している。つまり、同図に示す第１副画像Ｐｓ１、第２副画像Ｐｓ２、第３副画像Ｐｓ３は、左から右にかけて第１副画像Ｐｓ１、第２副画像Ｐｓ２、第３副画像Ｐｓ３の順で配列させることにより１つのまとまった意味を持つ絵となる。
【００４２】
また、図６を参照して、カテゴリ１の主画像からカテゴリ２の主画像に切り替えが行われる場合を例に挙げて、主画像表示領域の移動時における副画像の表示制御の概念について説明する。図６は、画面１０５Ａにおける副画像と主画像との位置関係を示している。なお、同図においては、説明を分かりやすくする便宜から、カテゴリタブ領域ＡＲｃの図示を省略している。
【００４３】
主画像切り替えのためのフリック操作が行われる以前の状態においては、表示部１０５には、現主画像表示領域ＡＲｐが収まるように配置されたうえで、現主画像表示領域ＡＲｐ内にカテゴリ１の主画像Ｐｍ１が表示されている状態にある。
そして、カテゴリ１からカテゴリ２に主画像を切り替えるための左方向へのフリック操作が行われるのに応じて、コンテンツ閲覧アプリケーションは、図６（ａ）に示すように、画面１０５Ａに対して第１副画像Ｐｓ１を描画したレイヤ（副画像レイヤ）を配置させる。
このとき、コンテンツ閲覧アプリケーションは、左方向のフリック操作に応じて、図６（ｂ）に示すように、カテゴリ１の主画像Ｐｍ１を表示させた現主画像表示領域ＡＲｐの右隣に幅Ｗの副画像表示領域ＡＲｓを配置し、さらに副画像表示領域ＡＲｓの右にカテゴリ２の主画像Ｐｍ２を描画した次主画像表示領域ＡＲｎを配置させた画像のレイヤ（主画像レイヤ）を生成する。
ここで、主画像レイヤは、副画像レイヤの上に配置される。また、主画像レイヤにおける副画像表示領域ＡＲｓは透明な領域である。
【００４４】
そして、コンテンツ閲覧アプリケーションは、図６（ｂ）の主画像レイヤを、図６（ａ）のように第１副画像Ｐｓ１が表示された画面１０５Ａに対して左に移動させていく。このように主画像レイヤが左に移動されていくことで、図６（ｃ）に示すように、カテゴリ１の主画像Ｐｍ１が表示された現主画像表示領域ＡＲｐは、左側から画面１０５Ａをはみ出していく。また、これとともに、カテゴリ２の主画像Ｐｍ２が表示された次主画像表示領域ＡＲｎが画面１０５Ａの右側から現れ、画面１０５Ａにおいて左側に移動していく。
【００４５】
このとき、上記のように現主画像表示領域ＡＲｐと次主画像表示領域ＡＲｎとが移動していくのに応じて副画像表示領域ＡＲｓも画面１０５Ａの右側から現れ、画面１０５Ａにおいて左側に移動していく。
副画像表示領域ＡＲｓは前述のように主画像レイヤにおいて透明な部分である。このために、画面１０５Ａにおいて、副画像表示領域ＡＲｓが移動していくのに応じて、副画像レイヤにて表示されている第１副画像Ｐｓ１において副画像表示領域ＡＲｓと重なる部分が、主画像Ｐｍ１、Ｐｍ２の間にて表示される。
そして、主画像レイヤの移動が完了すると、図６（ｄ）に示すように、次主画像表示領域ＡＲｎが画面１０５Ａにおいてちょうど収まる状態となって、主画像Ｐｍ２が表示される。
【００４６】
また、主画像切替操作は、これまでに説明したフリック操作の他に、画面１０５Ａの左または右方向に沿ってタッチパネル上で操作体を移動させるスライド操作によっても行える。
スライド操作による主画像切替操作に応じた画面１０５Ａの表示態様について、再度、図２を参照して説明する。例えば、図２（ａ）に示すようにカテゴリ２の主画像Ｐｍ２が表示されている状態からカテゴリ１の主画像Ｐｍ１を表示させるためのスライド操作として、ユーザは、操作体をタッチパネルと一体化された画面１０５Ａに触れさせながら右方向に移動させる。
スライド操作が開始された後は、操作体を画面１０５Ａから離さない限り、操作体のスライド方向とスライド量とに応じて現主画像表示領域ＡＲｐと次主画像表示領域ＡＲｎとが画面１０５Ａ内にて左右方向に沿って移動する。
つまり、スライド操作として操作体が右に移動されれば、そのときの操作体の移動量に応じて、現主画像表示領域ＡＲｐと次主画像表示領域ＡＲｎは右に進むように移動する。
また、スライド操作として操作体が左に移動されれば、そのときの操作体の移動量に応じて、現主画像表示領域ＡＲｐと次主画像表示領域ＡＲｎは左に戻るように移動する。
【００４７】
そして、ユーザは、次に表示されるべき次主画像表示領域ＡＲｎの横幅が画面１０５Ａにおいて一定以上現れた状態のもとで、これまでスライド操作を行わせていた操作体を画面１０５Ａから離す。
このようにスライド操作が解除されるのに応じて、画面１０５Ａにおいては、ここからさらに現主画像表示領域ＡＲｐと次主画像表示領域ＡＲｎとが右に移動され、図２（ｃ）に示すように、主画像Ｐｍ１が表示された次主画像表示領域ＡＲｎが画面１０５Ａ内に収まるように配置される。即ち、本実施形態においては、スライド操作によっても画面１０５Ａに表示させる主画像を切り替えることができる。
【００４８】
なお、スライド操作を解除したときに画面１０５Ａに現れている次主画像表示領域ＡＲｎの横幅が一定未満の場合には、現主画像表示領域ＡＲｐと次主画像表示領域ＡＲｎとが左方向に戻るように移動する。そして、図２（ａ）に示すように、主画像Ｐｍ２の描画された現主画像表示領域ＡＲｐが画面１０５Ａ内に収まって配置される状態に戻る。
【００４９】
［ユーザ端末装置の構成例］
図７は、ユーザ端末装置１００の構成例を示している。同図に示すユーザ端末装置１００は、通信部１０１、制御部１０２、記憶部１０３、操作部１０４及び表示部１０５を備える。
通信部１０１は、ネットワーク３００経由でコンテンツサーバ２００と通信を実行する。
【００５０】
制御部１０２は、ユーザ端末装置１００にインストールされたコンテンツ閲覧アプリケーションの機能を実現するための各種の制御を実行する。制御部１０２の機能は、例えばＣＰＵ（Central Processing Unit）がコンテンツ閲覧アプリケーションのプログラムを実行することにより実現される。
制御部１０２は、コンテンツ閲覧アプリケーションに対応する機能部として、コンテンツ取得部１２１、操作受付部１２２、副画像決定部１２３及び表示制御部１２４を備える。
【００５１】
コンテンツ取得部１２１は、コンテンツサーバ２００が配信する電子チラシ及び電子チラシ以外のコンテンツを取得する。
コンテンツ取得部１２１は、起動時あるいは所定の画面などに遷移した場合に、通信部１０１からネットワーク３００を介して、コンテンツ要求をコンテンツサーバ２００に送信する。コンテンツサーバ２００は、受信したコンテンツ要求に応答してコンテンツをユーザ端末装置１００に送信する。送信されたコンテンツはユーザ端末装置１００において通信部１０１にて受信され、コンテンツ取得部１２１は、通信部１０１にて受信されたコンテンツを入力する。このようにしてコンテンツ取得部１２１はコンテンツを取得することができる。
【００５２】
操作受付部１２２は、操作部１０４に対して行われた操作を受け付ける。操作受付部１２２が受け付ける操作のうちの１つに、先に図２から図６にて説明したように主画像を切り替えるためにタッチパネルに対して行われた、主画像切替操作としてのフリック操作あるいはスライド操作が含まれる。
【００５３】
副画像決定部１２３は、現主画像表示領域ＡＲｐと次主画像表示領域ＡＲｎとの間の副画像表示領域ＡＲｓに表示させるべき副画像を複数の副画像のうちから決定する。
副画像決定部１２３は、副画像を決定するにあたり、現主画像表示領域ＡＲｐに表示される主画像と操作受付部１２２が受け付けた主画像切替操作により指定された移動方向（即ちフリック操作またはスライド操作の操作方向）とに基づく決定を行う。より具体的に、副画像決定部１２３は、副画像決定テーブル記憶部１３２が記憶する副画像決定テーブルから、現主画像表示領域ＡＲｐに表示される主画像と主画像切替操作により指定された移動方向との組み合わせに対応付けられた副画像を検索する。このように検索された副画像が、副画像決定部１２３の決定結果である。
【００５４】
表示制御部１２４は、表示部１０５に画像を表示させるための制御を実行する。特に、本実施形態の表示制御部１２４は、主画像切替操作に応じて、以下のように、主画像切替のための表示制御を実行する。
つまり、表示制御部１２４は、画面１０５Ａ内に配置される現主画像表示領域ＡＲｐが指定された移動方向に沿って画面１０５Ａの外に移動するように表示する。これとともに、表示制御部１２４は、次主画像表示領域ＡＲｎが指定された移動方向に沿って画面１０５Ａの外から画面１０５Ａ内に移動されるように表示する。そのうえで、表示制御部１２４は、副画像決定部１２３により決定された副画像を副画像表示領域ＡＲｓに表示する。
なお、表示制御部１２４は、副画像決定部１２３により決定された副画像を副画像記憶部１３１から取得し、取得した副画像を副画像表示領域ＡＲｓに表示させればよい。
【００５５】
記憶部１０３は、制御部１０２が利用する各種の情報を記憶する。同図に示す記憶部１０３は、主画像切り替えの際の副画像の表示に対応して、副画像記憶部１３１と副画像決定テーブル記憶部１３２とを備える。
【００５６】
副画像記憶部１３１は、副画像を記憶する。具体的には、副画像記憶部１３１は、図５に示した第１副画像Ｐｓ１、第２副画像Ｐｓ２、第３副画像Ｐｓ３の各画像データを記憶する。
【００５７】
副画像決定テーブル記憶部１３２は、副画像決定テーブルを記憶する。副画像決定テーブルは、副画像決定部１２３が副画像の決定に利用するテーブルである。
図８は、副画像決定テーブル記憶部１３２が記憶する副画像決定テーブルの一例を示している。
同図に示す副画像決定テーブルにおいては、カテゴリと移動方向の組み合わせごとに１つの副画像が対応付けられる。
カテゴリは、主画像切替操作が行われたときに画面１０５Ａに配置されていた現主画像表示領域ＡＲｐに表示されていた主画像が属するカテゴリを示す。
移動方向は、主画像切替操作によって指定された主画像表示領域の移動方向である。
副画像については、カテゴリと移動方向の組み合わせに応じて、第１副画像Ｐｓ１、第２副画像Ｐｓ２、第３副画像Ｐｓ３のいずれかが示される。
【００５８】
副画像決定部１２３は、主画像切替操作としてのフリック操作が操作受付部１２２にて受け付けられた際に画面１０５Ａに表示されていた主画像のカテゴリと、操作受付部１２２にて受け付けられたフリック操作が指示する主画像表示領域の移動方向とを認識する。
副画像決定部１２３は、副画像決定テーブルから、認識した主画像のカテゴリと移動方向との組み合わせに対応付けられた副画像を検索し、検索した副画像を決定結果とする。
【００５９】
説明を図７に戻す。
操作部１０４は、ユーザ端末装置１００に備えられる操作子や操作デバイスを一括して示したものである。これまでの説明から理解されるように、本実施形態のユーザ端末装置１００は、表示部１０５の画面１０５Ａと一体化されたタッチパネルを備える。操作部１０４にはタッチパネルが含まれる。
表示部１０５は、制御部１０２の制御に応じて画像を表示する。
【００６０】
［処理手順例］
図９のフローチャートを参照して、本実施形態におけるユーザ端末装置１００がフリック操作による主画像切替操作に応じて主画像を切り替えるための処理手順例について説明する。
操作受付部１２２は、図２（ａ）などに示すように、１つのカテゴリに対応する主画像が現主画像表示領域ＡＲｐにおいて表示されている状態において、主画像切替操作としてのフリック操作が操作部１０４のタッチパネルに対して行われるのを待機している（ステップＳ１０１−ＮＯ）。
そして、操作受付部１２２がフリック操作を受け付けると（ステップＳ１０１−ＹＥＳ）、副画像決定部１２３は表示対象の副画像を決定する（ステップＳ１０２）。ここでの表示対象の副画像とは、フリック操作に応じて画面１０５Ａにて移動する現主画像表示領域ＡＲｐと次主画像表示領域ＡＲｎの間の副画像表示領域ＡＲｓに表示すべき副画像である。
【００６１】
副画像決定部１２３は、ステップＳ１０２により副画像を決定するにあたり、フリック操作が操作受付部１２２により受け付けられたタイミングで現主画像表示領域ＡＲｐに表示されていた主画像が属するカテゴリを判定する。このために、副画像決定部１２３は、例えば現主画像表示領域ＡＲｐに表示されていた主画像にメタデータとして付加されているカテゴリの属性が示す内容を参照すればよい。
また、副画像決定部１２３は、操作受付部１２２により受け付けられたフリック操作の方向に応じて指定される主画像レイヤの移動方向を判定する。副画像決定部１２３は、フリック操作が右方向であれば主画像レイヤの移動方向が右であると判定し、フリック操作が左方向であれば主画像レイヤの移動方向が左であると判定する。
そして、副画像決定部１２３は、副画像決定テーブル記憶部１３２が記憶する副画像決定テーブルに格納される副画像のうちから、上記のように判定したカテゴリと移動方向との組み合わせに対応付けられた副画像を検索する。このように検索された副画像が副画像決定部１２３による決定結果となる。
【００６２】
次に、表示制御部１２４は、ステップＳ１０２により表示対象として決定された副画像の画像データを副画像記憶部１３１から取得する。そして、表示制御部１２４は、取得した副画像の画像データを表示させた副画像レイヤを画面１０５Ａ内に配置する（ステップＳ１０３）。
【００６３】
次に、表示制御部１２４は、操作受付部１２２が受け付けたフリック操作に応じて指定される移動方向に基づいて、次主画像表示領域ＡＲｎに表示すべき主画像を決定する（ステップＳ１０４）。
ここで、表示制御部１２４は、フリック操作が受け付けられたときに画面１０５Ａに配置されていた現主画像表示領域ＡＲｐに表示されていた主画像が属するカテゴリの番号をｎとする。この場合において、表示制御部１２４は、移動方向が左であれば、カテゴリ（ｎ＋１）の主画像を次主画像表示領域ＡＲｎに表示すべき主画像として決定する。この際、現主画像表示領域ＡＲｐに表示されていた主画像のカテゴリの番号ｎが最大値である場合、表示制御部１２４は、カテゴリの番号を循環させ、カテゴリ１の主画像を次主画像表示領域ＡＲｎに表示すべき主画像として決定する。
また、移動方向が右であれば、表示制御部１２４は、カテゴリ（ｎ−１）の主画像を次主画像表示領域ＡＲｎに表示すべき主画像として決定する。この際、現主画像表示領域ＡＲｐに表示されていた主画像のカテゴリの番号ｎが最小値の１である場合、表示制御部１２４は、カテゴリの番号を循環させ、番号が最大のカテゴリの主画像を次主画像表示領域ＡＲｎに表示すべき主画像として決定する。
【００６４】
次に、表示制御部１２４は、フリック操作が受け付けられたときに画面１０５Ａに配置されている現主画像表示領域ＡＲｐと、ステップＳ１０４により決定された主画像を描画した次主画像表示領域ＡＲｎとにより主画像レイヤを生成する（ステップＳ１０５）。
主画像レイヤを生成するにあたり、表示制御部１２４は、フリック操作の方向に応じて指定される移動方向が左の場合には、図６（ｂ）のように、現主画像表示領域ＡＲｐの右側に次主画像表示領域ＡＲｎを配置する。一方、移動方向が右の場合には、表示制御部１２４は、図６（ｂ）とは反対に、現主画像表示領域ＡＲｐの左側に次主画像表示領域ＡＲｎを配置する。そのうえで、表示制御部１２４は、現主画像表示領域ＡＲｐと次主画像表示領域ＡＲｎとの間に一定の幅Ｗによる透明の副画像表示領域ＡＲｓを設ける。
【００６５】
次に、表示制御部１２４は、図６（ｃ）により例示したように、フリック操作に応じて指定された移動方向に従って、ステップＳ１０５にて生成した主画像レイヤを画面１０５Ａにおいて移動させる。表示制御部１２４は、図６（ｄ）に示すように次主画像表示領域ＡＲｎが画面１０５Ａにてちょうど収まって配置される状態となるまで主画像レイヤを移動させる（ステップＳ１０６）。
このような処理の実行により、本実施形態のユーザ端末装置１００はフリック操作に応じた主画像の切り替えを行うことができる。
【００６６】
次に、図１０のフローチャートを参照して、本実施形態におけるユーザ端末装置１００がスライド操作による主画像切替操作に応じて主画像を切り替えるための処理手順例について説明する。
【００６７】
操作受付部１２２は、図２（ａ）などに示すように、１つのカテゴリに対応する主画像が現主画像表示領域ＡＲｐにおいて表示されている状態において、主画像切替操作としてのスライド操作が操作部１０４のタッチパネルに対して行われるのを待機している（ステップＳ２０１−ＮＯ）。
そして、操作受付部１２２がスライド操作を受け付けると（ステップＳ２０１−ＹＥＳ）、副画像決定部１２３は表示対象の副画像を決定する（ステップＳ２０２）。
【００６８】
このとき、副画像決定部１２３は、ステップＳ２０２により副画像を決定するにあたりフリック操作が操作受付部１２２により受け付けられたタイミングで現主画像表示領域ＡＲｐに表示されていた主画像が属するカテゴリを判定する。この点については、図９のステップＳ１０２と同様である。
また、副画像決定部１２３は、操作受付部１２２により受け付けられたスライド操作が開始されたときのスライド方向に応じて指定される主画像レイヤの移動方向を判定する。副画像決定部１２３は、スライド操作開始時のスライド方向が右であれば、主画像レイヤの移動方向が右であると判定し、スライド操作開始時のスライド方向が左であれば、主画像レイヤの移動方向が左であると判定する。
そして、副画像決定部１２３は、副画像決定テーブル記憶部１３２が記憶する副画像決定テーブルに格納される副画像のうちから、上記のように判定したカテゴリと移動方向との組み合わせに対応付けられた副画像を検索する。副画像決定部１２３は、検索された副画像を決定結果とする。
【００６９】
次に、表示制御部１２４は、図９のステップＳ１０３と同様に、ステップＳ２０２により表示対象として決定された副画像の画像データを表示させた副画像レイヤを画面１０５Ａ内に配置する（ステップＳ２０３）。
【００７０】
次に、表示制御部１２４は、操作受付部１２２が受け付けたスライド操作開始時のスライド方向に応じて指定される移動方向に基づいて、次主画像表示領域ＡＲｎに表示すべき主画像を決定する（ステップＳ２０４）。ステップＳ２０４における主画像の決定のための処理は、図９のステップＳ１０３と同様でよい。
【００７１】
次に、表示制御部１２４は、スライド操作の開始時に画面１０５Ａに配置されていた現主画像表示領域ＡＲｐと、ステップＳ２０４により決定された主画像を描画した次主画像表示領域ＡＲｎとにより主画像レイヤを生成する（ステップＳ２０５）。主画像レイヤを生成する処理としては、図９のステップＳ１０５と同様でよい。
【００７２】
そして、表示制御部１２４は、スライド操作が解除されるまで（ステップＳ２０７−ＮＯ）、スライド操作に基づく移動方向と移動量とにより主画像レイヤを画面１０５Ａにおいて移動させる（ステップＳ２０６）。つまり、表示制御部１２４は、スライド操作として検知されたスライド操作の方向とスライド量とに基づいて、主画像レイヤを移動させるべき移動方向と移動量とを求める。そして、表示制御部１２４は、求めた移動方向と移動量とにより主画像レイヤを移動させる。
【００７３】
表示制御部１２４は、スライド操作が解除されると（ステップＳ２０７−ＹＥＳ）、主画像レイヤにおける現主画像表示領域ＡＲｐと次主画像表示領域ＡＲｎのうちのいずれの主画像表示領域を画面１０５Ａに配置させるべきかを決定する（ステップＳ２０８）。
この際、表示制御部１２４は、例えばスライド操作が解除されたときの次主画像表示領域ＡＲｎの横幅が画面１０５Ａにおいて一定以上現れていれば、次主画像表示領域ＡＲｎを画面１０５Ａ内に配置させるべきと決定する。一方、表示制御部１２４は、スライド操作が解除されたときに画面１０５Ａに現れる次主画像表示領域ＡＲｎの横幅が一定未満であれば、現主画像表示領域ＡＲｐを画面１０５Ａ内に配置させるべきと決定する。
【００７４】
表示制御部１２４は、ステップＳ２０８により決定された主画像表示領域が画面１０５Ａに収まるように配置させる（ステップＳ２０９）。これにより、スライド操作が解除されたときに画面１０５Ａに現れている次主画像表示領域ＡＲｎの横幅に応じて、現主画像表示領域ＡＲｐの主画像と、次主画像表示領域ＡＲｎの主画像のいずれかが画面１０５Ａにて表示された状態が得られる。
【００７５】
これまでに説明したように、本実施形態のユーザ端末装置１００においては、コンテンツ閲覧アプリケーション上での主画像の表示について、主画像切替操作（フリック操作またはスライド操作）を行うことによってカテゴリ間で切り替えることができる。主画像は、フリック操作またはスライド操作によって指定された移動方向に応じて主画像が画面１０５Ａ内を移動するようにして切り替えられる。そのうえで、本実施形態では、主画像切替操作に応じて主画像が移動する際に現主画像表示領域ＡＲｐと次主画像表示領域ＡＲｎとの間の副画像表示領域ＡＲｓに副画像が表示されるようになっている。
また、副画像表示領域ＡＲｓの副画像は、現主画像表示領域ＡＲｐと次主画像表示領域ＡＲｎとに表示される主画像のカテゴリの組み合わせに応じて異なる内容が表示される。つまり、予め用意されたカテゴリに対応した主画像を移動させる操作が行われるごとに異なる内容の副画像が表示されるようになっている。
【００７６】
これにより、ユーザは、それぞれの副画像がどのような内容であるのか興味を持つことになる。そして、全ての副画像を見るためには、ユーザは、全てのカテゴリの主画像を順次表示させるように主画像切替操作を行うことになる。この結果、ユーザは、全てのカテゴリの主画像を閲覧することになる。
このように、本実施形態においては、ユーザが全ての副画像を表示させるように主画像切替操作を行うことについての積極性が高められる。この結果、全てのカテゴリの主画像をユーザに閲覧してもらうことが可能になる。
【００７７】
なお、本実施形態においては、これまでに説明したフリック操作またはスライド操作の他に、カテゴリタブ領域ＡＲｃに配置されるタブをタップする操作を行うことによっても、主画像の表示をカテゴリ間で切り替えることができる。
例えば、図２（ａ）のようにカテゴリ２の主画像Ｐｍ２が画面１０５Ａにて表示されている状態において、カテゴリタブ領域ＡＲｃにおけるカテゴリ１のタブをタップする操作を行えば、図２（ｃ）のカテゴリ１の主画像Ｐｍ１が画面１０５Ａにて表示される状態に遷移する。
また、カテゴリ１の主画像Ｐｍ１が画面１０５Ａにて表示されている状態において、カテゴリ３のタブをタップする操作を行えば、図２（ｃ）の状態から、図３（ｃ）のようにカテゴリ３の主画像Ｐｍ３が画面１０５Ａにて表示された状態に遷移する。
【００７８】
そのうえで、本実施形態としては、上記のようにカテゴリタブ領域ＡＲｃに配置されるタブをタップする操作が行われた場合にも、表示部１０５にて主画像表示領域を移動させることにより主画像が切り替わるようにしてもよい。この場合にも、隣り合う主画像表示領域の間に副画像表示領域ＡＲｓを設けて、副画像表示領域ＡＲｓにて副画像が表示されるようにする。
【００７９】
また、カテゴリタブ領域ＡＲｃについては、例えば図２に示した画面１０５Ａにおける表示が省略されてもよい。カテゴリタブ領域ＡＲｃが表示されない場合、ユーザとしては、現主画像領域ＡＲｐの左右に他のカテゴリに対応する主画像の存在することを感覚的に把握しにくい可能性もある。そこで、このような場合には、例えば、初回起動時において主画像（カテゴリ）をフリック操作あるいはスライド操作により切り替え可能であることをユーザに案内するガイド表示を行うとよい。あるいは、画面１０５Ａにおいて主画像とともに、左右へのフリック操作あるいはスライド操作によって主画像（カテゴリ）を切り替え可能であることをユーザが感覚的に把握できるような所定のデザインによる画像などを表示させてもよい。
【００８０】
また、これまでの説明においては、表示制御にあたって主画像が表示される主画像レイヤと副画像が表示される副画像レイヤとを生成して重畳する場合を例に挙げている。しかし、例えば主画像レイヤにおける副画像表示領域ＡＲｓに、副画像表示領域ＡＲｓと同じサイズの副画像を表示させることで、副画像レイヤを省略してもよい。
【００８１】
＜第２実施形態＞
［概要］
続いて、第２実施形態について説明する。先の第１実施形態においては副画像記憶部１３１に記憶されている副画像の画像データを利用して副画像表示領域ＡＲｓに表示させている。つまり、第１実施形態においては、予めコンテンツ閲覧アプリケーションが備えている副画像を表示させるようにしている。
これに対して、第２実施形態におけるユーザ端末装置１００は、コンテンツ閲覧アプリケーションにより、コンテンツサーバ２００から副画像の画像データを適宜ダウンロードすることができる。そして、ユーザ端末装置１００は、主画像の切り替えに際してダウンロードした副画像データによる副画像を表示させることができる。
【００８２】
［処理手順例］
図１１のフローチャートを参照して、コンテンツサーバ２００からの副画像のダウンロードと、ダウンロードした副画像の表示に関してユーザ端末装置１００が実行する処理手順例について説明する。
なお、第２実施形態におけるユーザ端末装置１００の構成としては、図７と同様でよい。
【００８３】
コンテンツ取得部１２１は、コンテンツ閲覧アプリケーションが起動されるのに応じて、コンテンツサーバ２００に対してコンテンツ要求を送信する（ステップＳ３０１）。ここで要求するコンテンツは、例えば、コンテンツ閲覧アプリケーション上で提供される画像、テキスト、マークアップ言語ファイルなどのデータを含む。
【００８４】
コンテンツサーバ２００は、ユーザ端末装置１００から送信されたコンテンツ要求に対する応答として、コンテンツをユーザ端末装置１００に送信する。この際、コンテンツサーバ２００は、ユーザ端末装置１００に送信すべき副画像の画像データがあれば、副画像の画像データをコンテンツに含めて送信する。
【００８５】
コンテンツ取得部１２１は、ステップＳ３０１により送信したコンテンツ要求に応じて受信されたコンテンツの中に、副画像の画像データが含まれているか否かについて判定する（ステップＳ３０２）。
なお、以降においては、コンテンツサーバ２００から送信された副画像についてはダウンロード副画像と呼び、予め副画像記憶部１３１に画像データが記憶されている副画像についてはデフォルト副画像と呼んで両者を区別する。第２実施形態において、コンテンツ取得部１２１は、副画像取得部の一例である。
【００８６】
ダウンロード副画像の画像データが含まれていた場合（ステップＳ３０２−ＹＥＳ）、コンテンツ取得部１２１は、ダウンロード副画像の画像データを副画像記憶部１３１に記憶させる（ステップＳ３０３）。なお、副画像記憶部１３１において過去にダウンロードしたダウンロード副画像の画像データが記憶されている場合には、過去のダウンロード副画像の画像データを今回受信したダウンロード副画像の画像データにより上書きすればよい。
ダウンロード副画像の画像データが含まれていなければ（ステップＳ３０２−ＮＯ）、コンテンツ取得部１２１は、ステップＳ３０３をスキップする。
【００８７】
次に、表示制御部１２４は、副画像の表示開始タイミングに至るのを待機する（ステップＳ３０４−ＮＯ）。ここでの副画像の表示開始タイミングとは、前述のように主画像切替操作が行われるのに応じて、主画像レイヤを画面１０５Ａにて移動させる制御を開始させるタイミングが対応する。
【００８８】
副画像の表示開始タイミングに至るのに応じて（ステップＳ３０４−ＹＥＳ）、表示制御部１２４は、副画像記憶部１３１においてダウンロード副画像が記憶されているか否かについて判定する（ステップＳ３０５）。
【００８９】
副画像記憶部１３１においてダウンロード副画像が記憶されている場合（ステップＳ３０５−ＹＥＳ）、表示制御部１２４は、以下の処理を実行する。
つまり、表示制御部１２４は、図９のステップＳ１０２または図１０のステップＳ２０２において、副画像記憶部１３１に記憶されるダウンロード副画像を候補として、１つのダウンロード副画像を決定する。そのうえで、表示制御部１２４は、決定されたダウンロード副画像の画像データを副画像記憶部１３１から取得し、取得された画像データを描画した副画像レイヤを画面１０５Ａに配置させる（ステップＳ３０６）。
【００９０】
一方、副画像記憶部１３１においてダウンロード副画像が記憶されていない場合（ステップＳ３０５−ＮＯ）、表示制御部１２４は、以下の処理を実行する。
つまり、表示制御部１２４は、図９のステップＳ１０２または図１０のステップＳ２０２において、副画像記憶部１３１に記憶されるデフォルト副画像を候補として、１つのデフォルト副画像を決定する。表示制御部１２４は、決定されたデフォルト副画像の画像データを副画像記憶部１３１から取得し、取得された画像データを描画した副画像レイヤを画面１０５Ａに配置させる（ステップＳ３０７）。
【００９１】
例えば、本実施形態のコンテンツ閲覧アプリケーションの提供者は、定期的、あるいは年間の行事、時節などに応じて適宜異なる内容のダウンロード副画像を作成し、作成したダウンロード副画像の画像データをコンテンツサーバ２００から配信させる。
そのうえで、図１１にて説明した処理が実行されることで、コンテンツサーバ２００からダウンロード副画像をダウンロードしている場合には、副画像表示領域ＡＲｓにおいてダウンロード副画像を表示させることができる。
【００９２】
このため、第２実施形態によっては、主画像切替操作に際して副画像表示領域ＡＲｓに表示される副画像の内容が定期的、あるいは時節などに応じて適宜変更されることになる。これにより、適切な頻度で副画像の内容が変更されることになるためにユーザも副画像に飽きにくくなり、ユーザの主画像切替操作を行うことの意欲を長期的に維持させることが可能になる。
【００９３】
なお、上記の例では、デフォルト副画像が予め副画像記憶部１３１に記憶されたうえで、ダウンロード副画像をダウンロードするようにしている。しかし、例えば第２実施形態の変形例として、コンテンツ閲覧アプリケーションの起動ごとにコンテンツサーバ２００からダウンロードした副画像を主画像の切り替えに際して表示させるようにしてもよい。この場合、副画像記憶部１３１にはデフォルト副画像の画像データを記憶させておかなくともよい。
【００９４】
また、これまでに説明した第２実施形態の例では、コンテンツ取得部１２１は、コンテンツ閲覧アプリケーションが起動されるタイミングでコンテンツサーバ２００から副画像の画像データをダウンロードしている。
しかし、副画像の画像データをダウンロードするタイミングとしては、起動時に限られない。例えばコンテンツ取得部１２１は、主画像切り替えの操作が行われて副画像を表示すべきタイミングに至ったときに表示すべき副画像の画像データを指定してコンテンツサーバ２００からダウンロードするようにしてもよい。この場合、コンテンツ取得部１２１は、一度ダウンロードした副画像の画像データについては副画像記憶部１３１に記憶しておくようにする。以降において同じ副画像を表示すべきタイミングとなったときには、コンテンツ取得部１２１は、表示すべき副画像の画像データをダウンロードする必要はない。表示制御部１２４は、副画像記憶部１３１に記憶させてある画像データを副画像の表示に利用すればよい。
【００９５】
＜第３実施形態＞
［概要］
続いて、第３実施形態について説明する。
図１２（ａ）、図１２（ｂ）、図１２（ｃ）は、第３実施形態における第１副画像Ｐｓ１、第２副画像Ｐｓ２、第３副画像Ｐｓ３を示している。第３実施形態における第１副画像Ｐｓ１、第２副画像Ｐｓ２、第３副画像Ｐｓ３のそれぞれには、キーワードを形成する文字ｃｈｒが含まれている。
【００９６】
ユーザが全てのカテゴリの主画像を閲覧するために切替操作を行っていくことによっては、第１副画像Ｐｓ１、第２副画像Ｐｓ２、第３副画像Ｐｓ３の全ても表示されることになる。第３の実施形態では、このように全ての副画像の表示が完了するのに応じて、図１２（ｄ）に例示するように、プレゼント応募画像（特典画像の一例）Ｐｐｒｓが画面１０５Ａにて表示されるようにする。
【００９７】
図１２（ｄ）のプレゼント応募画像Ｐｐｒｓには、キーワードを入力するための入力ボックスＢＸが配置されている。ユーザは、主画像切替操作を行っていたときに副画像表示領域ＡＲｓに表示された第１副画像Ｐｓ１、第２副画像Ｐｓ２、第３副画像Ｐｓ３のそれぞれに含まれていた文字からキーワードの文字列を割り出す。そして、ユーザは、キーワードの文字列を入力ボックスＢＸに入力する操作を行う。
ユーザは、入力ボックスＢＸにキーワードの文字列を入力したうえで、送信ボタンＢＴをタップする操作を行う。送信ボタンＢＴに対する操作に応じて、例えば、入力ボックスＢＸに入力された文字列の情報が応募情報としてコンテンツサーバ２００に送信される。コンテンツサーバ２００は、応募情報の受信に応じて、送信元のユーザ端末装置１００のユーザによるプレゼントの応募を受け付ける。
【００９８】
［処理手順例］
図１３のフローチャートを参照して、第３実施形態のユーザ端末装置１００が、図１２により説明したプレゼント応募画像Ｐｐｒｓの表示のために実行する処理手順例について説明する。
表示制御部１２４は、主画像切替操作（フリック操作またはスライド操作）に応じて、主画像の切り替えが行われるのを待機している（ステップＳ４０１−ＮＯ）。
主画像の切り替えが行われると（ステップＳ４０１−ＹＥＳ）、表示制御部１２４は、主画像の切り替えに伴って副画像表示領域ＡＲｓに表示された副画像を示す副画像識別子を記憶部１０３に記憶させる（ステップＳ４０２）。このように記憶部１０３に記憶される副画像識別子は、副画像の表示履歴を示す情報として扱われる。
また、第３実施形態において、主画像の切り替えに伴って副画像表示領域ＡＲｓに表示される副画像は、例えば、図１２（ａ）、図１２（ｂ）、図１２（ｃ）に示した第１副画像Ｐｓ１、第２副画像Ｐｓ２、第３副画像Ｐｓ３のいずれかである。
【００９９】
次に、表示制御部１２４は、現在において記憶部１０３に記憶される副画像識別子に基づいて、全ての副画像が表示済みであるか否かについて判定する（ステップＳ４０３）。現在において、全ての副画像の副画像識別子が記憶されていれば、全ての副画像が表示済みであることになる。一方、副画像識別子が記憶されていない、あるいは、記憶されていても全ての副画像のうちの一部の副画像識別子のみが記憶されているような場合、未だ表示されていない副画像が残っていることになる。
【０１００】
未だ表示されていない副画像が残っている場合（ステップＳ４０３−ＮＯ）、表示制御部１２４は、ステップＳ４０１に処理を戻す。
一方、全ての副画像が表示済みである場合（ステップＳ４０３−ＹＥＳ）、表示制御部１２４は、図１２（ｄ）に示したプレゼント応募画像Ｐｐｒｓを画面１０５Ａに表示させる（ステップＳ４０４）。
【０１０１】
このように、全ての副画像を表示させるのに応じてユーザに特典を付与すれば、ユーザは、特典を受けるために全ての副画像が表示されるように主画像切替操作を行いたくなる。つまり、第３実施形態によっては、全ての副画像が表示されるように主画像切替操作を行うことの積極性がさらに高められる。
なお、全ての副画像を表示させるのに応じて表示される特典画像としてはプレゼント応募のためのプレゼント応募画像Ｐｐｒｓに限定されない。つまり、特典画像は、例えばクーポン、くじ引きなどをはじめ全ての副画像を表示させたユーザにのみに提供される各種サービスの情報など、所定の特典を表す画像であればよい。
また、上記の例では全ての副画像表示領域ＡＲｓのそれぞれに対応する副画像が全て表示されるのに応じて特典画像が表示されるようにしている。しかし、全ての副画像表示領域ＡＲｓのそれぞれに対応する副画像のうち、予め定められた一部の副画像が表示されるのに応じて特典画像が表示されるようにしてもよい。即ち、本実施形態においては、ルールで定められた副画像が表示されることに応じて特典画像が表示されればよい。
【０１０２】
なお、特典画像については、副画像が未だ１つも表示されていない状態において一度表示させてもよい。この場合、特典画像は、特典を提供する画像としてではなく、全ての副画像を閲覧すると特典が提供されることをユーザに通知し、全ての副画像を閲覧する操作をユーザに促す案内画像として機能する。このような特典画像では、例えば「隙間絵（副画像）に隠れている文字を見つけて応募しよう！」などのように、全ての副画像を閲覧する操作をユーザに促すメッセージが表示されるとよい。そのうえで、この後において、ユーザの操作によって全ての副画像が表示されたのであれば、コンテンツ閲覧アプリケーションは、ユーザからの入力ボックスＢＸに対するキーワードの入力操作を受け付けるために、再度、特典画像を表示させればよい。
【０１０３】
＜第４実施形態＞
続いて、第４実施形態について説明する。
図１４は、第４実施形態において、フリック操作による主画像切替操作が行われた場合の画面１０５Ａにおける表示態様例を示している。同図は、右方向にフリック操作が行われるのに応じて現主画像表示領域ＡＲｐと次主画像表示領域ＡＲｎが右方向に移動して主画像が切り替わる場合の態様例である。
なお、画面１０５Ａにおける表示の時間経過に従った変化は、図１４（ａ）、図１４（ｂ）、図１４（ｃ）、図１４（ｄ）の順となる。
【０１０４】
まず、現主画像表示領域ＡＲｐと次主画像表示領域ＡＲｎの右側への移動が開始されて間もなくは、図１４（ａ）に示すように副画像表示領域ＡＲｓの幅Ｗは狭い状態である。そして、さらに現主画像表示領域ＡＲｐと次主画像表示領域ＡＲｎが右方向に移動していくのに応じて、副画像表示領域ＡＲｓの幅Ｗは、図１４（ｂ）に示すように徐々に広くなっていく。
さらに現主画像表示領域ＡＲｐと次主画像表示領域ＡＲｎの移動が進み、図１４（ｃ）のように現主画像表示領域ＡＲｐと次主画像表示領域ＡＲｎの間の副画像表示領域ＡＲｓが画面１０５Ａにおける横方向のほぼ中央に位置したときに、副画像表示領域ＡＲｓの幅Ｗが最大となる。
そして、ここからさらに現主画像表示領域ＡＲｐと次主画像表示領域ＡＲｎの右への移動が進み、副画像表示領域ＡＲｓも中央から右に移動していくのに応じて、副画像表示領域ＡＲｓの幅Ｗは、図１４（ｄ）に示すように徐々に狭くなっていく。
【０１０５】
このように、第４実施形態における表示制御部１２４は、現主画像表示領域ＡＲｐと次主画像表示領域ＡＲｎの移動に応じて、その間の副画像表示領域ＡＲｓの幅Ｗを変化させるように表示を行う。このように副画像表示領域ＡＲｓの幅Ｗが変化することで、副画像表示領域ＡＲｓにて表示される副画像の幅も変化することになり、主画像が切り替わる際の表示のおもしろみが増すことになる。
なお、図１４に示す副画像表示領域ＡＲｓの幅Ｗの変化は、スライド操作による主画像切替操作に応じて行うようにしてもよい。
【０１０６】
また、第４実施形態の変形例として、副画像表示領域ＡＲｓの幅Ｗを変更する他の態様について、表示対象の副画像ごとに副画像表示領域ＡＲｓの幅Ｗが変更されるようにしてもよい。この場合、１回の主画像切替操作に応じた主画像レイヤの移動に際しての副画像表示領域ＡＲｓの幅Ｗについては固定であればよい。
【０１０７】
＜第５実施形態＞
続いて、第５実施形態について説明する。
図１５は、第５実施形態における主画像と副画像の表示態様例を示している。同図に例示するように、第５実施形態においては、現主画像表示領域ＡＲｐと次主画像表示領域ＡＲｎに表示される各主画像の左右の縁が副画像表示領域ＡＲｓのほうに所定の形状ではみ出すように表示される。
【０１０８】
図１６を参照して、第５実施形態での主画像表示領域の移動時における表示制御の概念について説明する。同図では、カテゴリ１の主画像からカテゴリ２の主画像に切り替えが行われる場合に対応した例が示されている。
カテゴリ１の主画像からカテゴリ２の主画像に切り替えが行われる場合、副画像レイヤには図１６（ａ）に示すように第１副画像Ｐｓ１が表示される。
【０１０９】
一方で、図１６（ｂ）に示すように、主画像レイヤにおける現主画像表示領域ＡＲｐと次主画像表示領域ＡＲｎのそれぞれに表示される主画像Ｐｍ１、Ｐｍ２は、それぞれ、左右の縁部において或る所定形状によって画面１０５Ａからはみ出した部分を有する。この場合、現主画像表示領域ＡＲｐの右側の縁部と、次主画像表示領域ＡＲｎの左側の縁部は、それぞれ、副画像表示領域ＡＲｓに対してはみ出すことになる。
【０１１０】
第５実施形態においては、上記のように生成した主画像レイヤを、表示制御部１２４が主画像の切り替えに際して画面１０５Ａ上で移動させる。これにより、図１６（ｃ）に示すように主画像レイヤが移動中のときには、図１５にも例示したように、副画像表示領域ＡＲｓの左右において装飾が施されたようなデザインの表示が行われる。
そして、画像レイヤの移動が完了したときには、図１６（ｄ）に示すように、主画像Ｐｍ２の左右両側の装飾部分は画面１０５Ａの表示範囲から外れた状態で、画面１０５Ａにて主画像Ｐｍ２が配置される状態が得られる。
このような表示が行われることによっても、主画像を切り替える際の表示についておもしろみを与えることができる。
【０１１１】
なお、上記各実施形態における副画像の内容については特に限定していないが、例えば、左右の現主画像表示領域ＡＲｐと次主画像表示領域ＡＲｎの少なくともいずれか一方に関連した内容を有した副画像が副画像表示領域ＡＲｓに表示されるようにしてもよい。一例として、次主画像表示領域ＡＲｎに表示される主画像のカテゴリや内容をユーザに伝えるようなメッセージを副画像に含めることができる。
また、上記各実施形態においては、主画像と副画像の移動が左右方向に沿って行われる態様を挙げているが、主画像と副画像の移動が上下方向に沿って行われるようにしてもよい。
【０１１２】
また、上記各実施形態においては、カテゴリ単位で主画像を切り替える場合を例に挙げているが、主画像切替操作によっては、これまでの主画像とは異なる主画像に切り替えが行われさえすればよい。例えば同じカテゴリ内の各ページの画像を主画像とし、主画像切替操作としてのページ送りの操作によってページの画像が切り替わるようにしてもよい。
また、上記各実施形態において、コンテンツサーバ２００から配信されるコンテンツは電子チラシと電子チラシに関連したものである場合を例に挙げている。しかし、コンテンツサーバ２００から配信されるコンテンツとしては、例えば動画や静止画などをはじめ、電子チラシに関連するもの以外であってもよい。
【０１１３】
また、上記各実施形態においては、画面１０５Ａ上のタッチパネルに対するフリック操作またはスライド操作によって、主画像の移動を伴う主画像の切り替えが行われるようになっている。
しかし、主画像の移動を伴う主画像の切り替えは、フリック操作やスライド操作以外の操作によって行われてもよい。例えば、マウスなどの操作デバイスを利用したドラッグ操作などによって、タッチパネルに対するスライド操作と同様の動きで主画像が切り替わるようにしてもよい。
また、カテゴリタブ領域ＡＲｃにおいて表示されるタブ以外であって、主画像切り替えのために画面１０５Ａ上に配置されたボタンをタッチする等の操作を行うことによって主画像の切り替えが行われるようにしてもよい。
【０１１４】
なお、上述のユーザ端末装置１００の機能を実現するためのプログラムをコンピュータ読み取り可能な記録媒体に記録して、この記録媒体に記録されたプログラムをコンピュータシステムに読み込ませ、実行することにより上述のユーザ端末装置１００としての処理を行ってもよい。ここで、「記録媒体に記録されたプログラムをコンピュータシステムに読み込ませ、実行する」とは、コンピュータシステムにプログラムをインストールすることを含む。ここでいう「コンピュータシステム」とは、ＯＳや周辺機器等のハードウェアを含むものとする。また、「コンピュータシステム」は、インターネットやＷＡＮ、ＬＡＮ、専用回線等の通信回線を含むネットワークを介して接続された複数のコンピュータ装置を含んでもよい。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。このように、プログラムを記憶した記録媒体は、ＣＤ−ＲＯＭ等の非一過性の記録媒体であってもよい。また、記録媒体には、当該プログラムを配信するために配信サーバからアクセス可能な内部または外部に設けられた記録媒体も含まれる。配信サーバの記録媒体に記憶されるプログラムのコードは、端末装置で実行可能な形式のプログラムのコードと異なるものでもよい。すなわち、配信サーバからダウンロードされて端末装置で実行可能な形でインストールができるものであれば、配信サーバで記憶される形式は問わない。なお、プログラムを複数に分割し、それぞれ異なるタイミングでダウンロードした後に端末装置で合体される構成や、分割されたプログラムのそれぞれを配信する配信サーバが異なっていてもよい。さらに「コンピュータ読み取り可能な記録媒体」とは、ネットワークを介してプログラムが送信された場合のサーバやクライアントとなるコンピュータシステム内部の揮発性メモリ（ＲＡＭ）のように、一定時間プログラムを保持しているものも含むものとする。また、上記プログラムは、上述した機能の一部を実現するためのものであってもよい。さらに、上述した機能をコンピュータシステムにすでに記録されているプログラムとの組み合わせで実現できるもの、いわゆる差分ファイル（差分プログラム）であってもよい。
【０１１５】
以上、本発明の実施形態について図面を参照して詳述してきたが、具体的な構成は本実施形態に限られるものではなく、本発明の要旨を逸脱しない範囲の設計等も含まれる。
【符号の説明】
【０１１６】
１００  ユーザ端末装置、１０１  通信部、１０２  制御部、１０３  記憶部、１０４  操作部、１０５  表示部、１０５Ａ  画面、１２１  コンテンツ取得部、１２２  操作受付部、１２３  副画像決定部、１２４  表示制御部、１３１  副画像記憶部、１３２  副画像決定テーブル記憶部、２００  コンテンツサーバ、３００  ネットワーク
【図１】
2015152965.tif 000003
【図２】
2015152965.tif 000004
【図３】
2015152965.tif 000005
【図４】
2015152965.tif 000006
【図５】
2015152965.tif 000007
【図６】
2015152965.tif 000008
【図７】
2015152965.tif 000009
【図８】
2015152965.tif 000010
【図９】
2015152965.tif 000011
【図１０】
2015152965.tif 000012
【図１１】
2015152965.tif 000013
【図１２】
2015152965.tif 000014
【図１３】
2015152965.tif 000015
【図１４】
2015152965.tif 000016
【図１５】
2015152965.tif 000017
【図１６】
2015152965.tif 000018